(57)【要約】      （修正有）【課題】外部からの空気の流入を防ぎ保温性を保つ衣服を提供する。【解決手段】空気封入可能な空気袋（２）と、衣服の内側に少なくとも首周りを覆う空気袋（２）を収納かつ被覆する収納部（３）と、空気ポンプ（４）と、空気送りパイプ（５）と、バルブ（６）とを備えた衣服であって、空気袋（２）と空気ポンプ（４）が空気送りパイプ（５）を介して連通連結され、空気ポンプ（４）近傍にバルブ（６）を設けてなり、空気ポンプ（４）及びバルブ（６）は衣服の内側に設けられた保持部（７）に着脱自在に保持され、空気袋（２）が収納部（３）に着脱自在であることを特徴とする衣服。【選択図】図１
2020002503.tif 000002
【特許請求の範囲】
【請求項１】
空気封入可能な長方形の空気袋と、
衣服の内側に少なくとも首周りを覆う前記空気袋を収納かつ被覆する収納部と、
空気ポンプと、空気送りパイプと、バルブとを備えた衣服であって、
前記空気袋と前記空気ポンプが前記空気送りパイプを介して連通連結され、
前記空気ポンプ近傍に前記バルブを設けてなり、
前記空気ポンプ及び前記バルブは衣服の内側に設けられた保持部に着脱自在に保持され、
前記空気袋が前記収納部に着脱自在であることを特徴とする衣服。
【請求項２】
前記収納部が首周りに設けられた円筒状の襟部で構成されていることを特徴とする請求項１に記載の衣服。
【請求項３】
前記収納部が着用者の顔の頬を覆う程度に設けられることを特徴とする請求項１又は請求項２に記載の衣服。
【請求項４】
前記空気送りパイプが前記空気袋に着脱自在であることを特徴とする請求項１乃至請求項３のいずれか一項に記載の衣服。
【請求項５】
前記空気ポンプが手動であることを特徴とする請求項１乃至請求項４のいずれか一項に記載の衣服。
【請求項６】
前記空気ポンプが電池駆動のポンプであることを特徴とする請求項１乃至請求項４のいずれか一項に記載の衣服。
【請求項７】
前記空気袋に押型を設けることを特徴とする請求項１乃至請求項６のいずれか一項に記載の衣服。
【発明の詳細な説明】
【技術分野】
【０００１】
本発明は、衣服に関する。更に詳しくは、衣服の襟と首の隙間を無くし遮閉することで、外部からの空気の流入を防ぎ保温性を保つ衣服に関するものである。
【背景技術】
【０００２】
従来、保温性に優れた衣服としては、中綿を入れてキルティング加工した製品が多く使用されている。しかし、中綿を用いた製品は嵩張って携帯に不便であり、また保温性の調節も不可能であった。
【０００３】
上記課題を解決する衣服として、特許文献１に記載されたものが知られている。この文献１は実用性ある着心地のよい保温性衣料を提供することを課題としていた。
そして、天然又は合成ゴムで目止め加工した布帛で形成された空気封入可能な筒状体を、衣料に少なくとも一部に取付けたことを要件とすることで解決している。
【先行技術文献】
【特許文献】
【０００４】
【特許文献１】実公昭５９−００４７３４号公報
【発明の概要】
【発明が解決しようとする課題】
【０００５】
特許文献１は、不使用時又は特別な保温性を必要としない時には筒状体の空気を抜き、薄い状態で保存又は着用でき、高い保温性が必要となれば筒状体に空気を吹き込めばよいため、非常に携帯しやすく、多目的に着用できる。また、裏地の前面側（肌に接しない外側）に筒状体を取り付け、その上に表地を配置するため外観も良好に保つことができる。
しかしながら、外部からの空気の流入を防ぐことについて考慮されていない。
【０００６】
保温状態を保つためには、空気の移動に伴う放熱を低減させる必要がある。しかし、従来の衣服は、衣服の中に風が入りやすく、外部からの空気が流入するため保温効果を低下させてしまうという課題があった。更に、保温媒体が衣服から取り外しできないため、洗濯が難しいという課題もあった。
【０００７】
叙述のように、従来の衣服（とりわけ、特許文献１のもの）には、外部からの空気の流入を防ぐことができないという欠点があった。
つまり、外部からの空気の流入を防ぎ保温性を保つ衣服の提供が課題であった。
【課題を解決するための手段】
【０００８】
しかしながら、上記の衣服には、衣服の襟部と体との隙間から体温が空気中に逃げてしまうということを課題とする発想がなかった。
そこで本発明は、衣服の襟と首の隙間を無くし遮閉することで、外部からの空気の流入を防ぎ保温性を保つことを目的とするものである。
【０００９】
請求項１に係る発明は、空気封入可能な長方形の空気袋と、衣服の内側に少なくとも首周りを覆う前記空気袋を収納かつ被覆する収納部と、空気ポンプと、空気送りパイプと、バルブとを備えた衣服であって、前記空気袋と前記空気ポンプが前記空気送りパイプを介して連通連結され、前記空気ポンプ近傍に前記バルブを設けてなり、前記空気ポンプ及び前記バルブは衣服の内側に設けられた保持部に着脱自在に保持され、前記空気袋が前記収納部に着脱自在であることを特徴とする衣服に関する。
【００１０】
請求項２に係る発明は、前記収納部が首周りに設けられた円筒状の襟部で構成されていることを特徴とする請求項１に記載の衣服に関する。
【００１１】
請求項３に係る発明は、前記収納部が着用者の顔の頬を覆う程度に設けられることを特徴とする請求項１又は請求項２に記載の衣服に関する。
【００１２】
請求項４に係る発明は、前記空気送りパイプが前記空気袋に着脱自在であることを特徴とする請求項１乃至請求項３のいずれか一項に記載の衣服に関する。
【００１３】
請求項５に係る発明は、前記空気ポンプが手動であることを特徴とする請求項１乃至請求項４のいずれか一項に記載の衣服に関する。
【００１４】
請求項６に係る発明は、前記空気ポンプが電池駆動のポンプであることを特徴とする請求項１乃至請求項４のいずれか一項に記載の衣服に関する。
【００１５】
請求項７に係る発明は、前記空気袋に押型を設けることを特徴とする請求項１乃至請求項６のいずれか一項に記載の衣服に関する。
【発明の効果】
【００１６】
請求項１に係る発明によれば、空気封入可能な長方形の空気袋と、衣服の内側に少なくとも首周りを覆う前記空気袋を収納かつ被覆する収納部と、空気ポンプと、空気送りパイプと、バルブとを備えた衣服であって、前記空気袋と前記空気ポンプが前記空気送りパイプを介して連通連結され、前記空気ポンプ近傍に前記バルブを設けてなり、前記空気ポンプ及び前記バルブは衣服の内側に設けられた保持部に着脱自在に保持され、前記空気袋が前記収納部に着脱自在であることを構成要件としていることから、以下のような効果を奏する。
【００１７】
空気袋が首周りを覆うように設けられていることから、衣服の襟と首の隙間を無くし遮閉することで、外部からの空気の流入を防ぎ保温性を保つことができるという優れた効果を奏する。
また、着用者によって異なる首のサイズ等の体格差に加えて、衣服の種類によっても、身体周りの長さが大きく異なることがある。そこで本発明において、空気の封入する量をバルブで調節できる構成であることから、大きく異なる身体周りの長さにも対応させて、衣服本体を身体周りにフィットさせて、快適なフィット感を与えるという優れた効果も奏する。
叙述のように首周りを保温することで、衣服全体を温めることができる。
【００１８】
従来、保温媒体として使用されている塩化ビニル等は洗濯に適さない素材であった。しかし、着脱可能とすることにより、不要な場合は取り外すことができる。このように収納部を設けて取り外すことができるため、保温媒体にどのような素材を使用する場合も洗濯することが可能となり、衛生的にも実用的にも使用しやすいという優れた効果を奏する。
更に、外気温は温度変化するものであるから、着用者は外気温に応じて衣服の保温状態を調節できることが望ましかった。そこで、空気袋が本体の衣服と一体化されず収納部によって着脱自在の構成とすることで、衣服のデザイン性を保ち、着用者の使用状況によって、着用者自身が任意に使用状況を適宜選択することができるという優れた効果も奏する。
【００１９】
請求項２に係る発明によれば、前記収納部が首周りに設けられた円筒状の襟部で構成されていることを構成要件としていることから、着用者の首に沿うように形成されているので、衣服の襟と首の隙間を無くし遮閉させ、外部からの空気の流入を防ぎ保温性を保つことができるという優れた効果を奏する。
また、空気袋が襟部を形成して首周りを覆うように保温するので、マフラーやネックウォーマ等を付けなくてもそれらと同様の効果を得ることができ、保温効果をより高めるという優れた効果も奏する。
【００２０】
請求項３に係る発明によれば、前記収納部が着用者の顔の頬を覆う程度に設けられることを構成要件としていることから、首周りだけを覆うときよりも、衣服と体との隙間を無くし遮閉するので、保温効果をより高めることができるという優れた効果を奏する。
【００２１】
請求項４に係る発明によれば、前記空気送りパイプが前記空気袋に着脱自在であることを構成要件としていることから、衣服に空気袋を取り付ける際、空気送りパイプの取り付けを容易に行うことができるという優れた効果を奏する。
【００２２】
請求項５に係る発明によれば、前記空気ポンプが手動であることを構成要件としていることから、動力源を設けなくても、手軽に空気の封入する量を調節することができるという優れた効果を奏する。
【００２３】
請求項６に係る発明によれば、前記空気ポンプが電池駆動のポンプであることを構成要件としていることから、人の手を介さずに自動的に早く空気の封入する量を調節することができるという優れた効果を奏する。
【００２４】
請求項７に係る発明によれば、前記空気袋に押型を設けることを構成要件としていることから、空気袋に空気を封入した際、押型付近の空気の量が少なくなり、首に沿って折り曲げやすくすることができる。従って、衣服の襟と首の隙間を無くし遮閉できるので、外部からの空気の流入を防ぎ保温性を保つことができるという優れた効果を奏する。
【図面の簡単な説明】
【００２５】
【図１】衣服に空気封入ユニットを取り付けた状態の正面図である。
【図２】空気封入ユニットの正面図である。
【図３】空気封入ユニットを収納部に収納している状態を示す説明図である。
【図４】空気送りパイプを挿通部から通している状態を示す説明図である。
【図５】空気ポンプを保持部に保持されている状態を示す説明図である。
【図６】空気袋に空気を封入した状態の正面図である。
【図７】衣服に取り付けた空気袋に空気を封入する前の状態の正面図である。
【図８】図７の斜視図である。
【図９】衣服に取り付けた空気袋に空気を封入した状態の正面図である。
【図１０】図９の斜視図である。
【図１１】本発明の第２実施形態の空気袋に空気を封入した状態の正面図である。
【発明を実施するための形態】
【００２６】
この発明の衣服（１）は、バイク用ジャケットに最適に使用されるものではあるが、それに限定されるものではなく、各種スポーツウェアや登山着等の防寒着、その他防寒を必要とする衣服にも適用可能である。
【００２７】
［実施形態１］
以下、本発明に係る衣服について、図面を参照しつつ、本発明の実施形態について詳細に説明する。
図１から図１０は本発明の実施形態１の説明図である。
【００２８】
図１及び図２に示すように、本発明に係る衣服（１）は、空気袋（２）、収納部（３）、空気ポンプ（４）、空気送りパイプ（５）、バルブ（６）、及び保持部（７）から構成されている。
上記構成のうち、空気袋（２）、空気ポンプ（４）、空気送りパイプ（５）、及びバルブ（６）を空気封入ユニット（８）とする。この空気封入ユニット（８）は衣服（１）に着脱自在に取り付けることができる。
【００２９】
図１及び図２に示すように、空気袋（２）は帯状の長方形状に構成され、収納部（３）に収納される。
また、空気袋（２）に用いられる素材は特に限定されないが、保温性に優れた素材を使用することが好ましい。
【００３０】
図２に示すように、空気袋（２）には着脱部（２Ａ）が設けられている。着脱部（２Ａ）は空気送りパイプ（５）に着脱自在に取り付けることができるように構成されている。
着脱部（２Ａ）は、円筒形の口部に空気送りパイプ（５）を接続してもよいし、逆止弁を設けた口部を設けてもよい。
【００３１】
図２に示すように、空気袋（２）には押型（２Ｂ）が設けられている。これは押型（２Ｂ）が設けられることで、押型（２Ｂ）付近の空気の量が少なり、首に沿って立体的に折り曲げやすくなる。
押型（２Ｂ）の形状、配置箇所や個数等は特に限定されないが、首に沿って折り曲げやすいものであればよい。例えば、押型（２Ｂ）の形状は丸型の他にも線状等さまざまな形状を採用することができる。
【００３２】
空気袋（２）の長手方向の長さは衣服（１）の襟と首の隙間（１３）を遮閉でき、外部からの空気が流入しない長さであればよい。
空気袋（２）が着用者の皮膚と直接接触しないように被覆されていることが好ましい。
【００３３】
図１に示すように、収納部（３）は衣服（１）の内側に少なくとも首周りを覆う空気袋（２）を収納かつ被覆できるように構成されている。
また、収納部（３）には空気送りパイプ（５）を挿通可能な挿通部（９）が設けられており、挿通部（９）から空気送りパイプ（５）を通して空気袋（２）に連通連結させる。
また、収納部（３）に用いられる素材は特に限定されないが、肌当りがよく、着心地の優れた素材が好ましい。
【００３４】
図２に示すように、空気ポンプ（４）は空気送りパイプ（５）を介して空気袋（２）に取付けられており、空気ポンプ（４）の近傍にはバルブ（６）が取り付けられている。
空気ポンプ（４）によって、空気を空気袋（２）に封入する構成になっている。
また、図５に示すように空気ポンプ（４）は衣服（１）の内側に設けられている保持部（７）に着脱自在に保持されている。
【００３５】
空気ポンプ（４）は手動ポンプを用いてもよいし、手動ポンプ以外のリチウム電池等を用いる自動ポンプで空気を封入しても同様の効果を得ることができる。
本発明の構成において、ポンプが手動でも自動でもどちらにも限定されない。
【００３６】
図２及び図４に示すように、空気送りパイプ（５）は一端が空気袋（２）と、他端は空気ポンプ（４）に取付けられている。
空気送りパイプ（５）は収納部（３）に設けられた挿通部（９）を通して空気袋（２）と連通連結させる。空気送りパイプ（５）によって、空気袋（２）への空気の出し入れを行う。
【００３７】
図１に示すように、バルブ（６）は空気ポンプ（４）の近傍に取り付けられ、空気袋（２）に封入する空気の量を調節することができる。
バルブ（６）によって空気を出し入れすることで、着用者の首の大きさ等に合わせて封入する空気の量を着用者が自由に調節できる。
空気の量を調節できるという機能を備えているバルブであれば、特に限定されない。
【００３８】
図１及び図５に示すように、保持部（７）は空気ポンプ（４）を保持するために構成されている。空気ポンプ（４）が保持部（７）に着脱自在に保持することができるので、使用しない場合は空気ポンプ（４）を取り外すことができる。
また、保持部（７）は図１において胸周辺に設けられているが、その他の部位に設けられていても、本発明の効果を十分発揮することができるので、特に限定されない。
そして、保持部（７）の構成は、図５に示すような袋状のものに限定されず、空気ポンプ（４）が衣服内に一定位置に保持できるものであれば、特に限定されない。
【００３９】
本発明の効果を十分発揮できるものであれば、その他、各部材の素材は適宜変更可能であり、各部材の縫い方等も変更可能である。
【００４０】
以下、衣服（１）に空気袋（２）を取り付ける方法について説明する。
図２に示すように、空気袋（２）の着脱部（２Ａ）から空気送りパイプ（５）を取り外す。次に図１に示すように、収納部（３）に空気袋（２）を収納する。そして図４に示すように、収納部（３）に設けられている挿通部（９）に空気送りパイプ（５）を通して、空気袋（２）に連通連結させる。
【００４１】
図５に示すように空気送りパイプ（５）の端部に取り付けられている空気ポンプ（４）を保持部（７）に保持させる。空気を封入する際は、衣服（１）の上から空気ポンプ（４）を押して空気を入れることができる。
【００４２】
衣服（１）の前中心にスライドファスナー（１０）が設けられているので、空気袋（２）を取り付けた後、スライドファスナー（１０）を閉じる。
スライドファスナー（１０）を閉じると、衣服（１）の襟部（１１）の全周を覆うように構成されているため、衣服（１）の襟と首の隙間（１３）を無くし遮閉できるので、外部からの空気の流入を防ぎより保温性を保つことができる。
【００４３】
図７〜図１０を参照して、本発明に係る衣服（１）に取り付けられた空気袋（２）による外部からの空気の流入を防ぐ保温性について具体的に説明する。
図７及び図８に示すように、空気封入前の空気袋（２）を取り付けた衣服（１）は、従来の保温性衣料と同様に首周りに隙間（１３）が存在している。そのため、衣服の襟と首の隙間（１３）から、外部の空気が流入し、保温性を保つことができない。
しかし、図９及び図１０に示すように空気袋（２）に空気を封入することで、衣服（１）の襟と首の隙間（１３）を無くし遮閉されるので、外部からの空気の流入を防ぐことができる。
【００４４】
［実施形態２］
以下、本発明に係る衣服の空気袋が着用者の頬を覆うように設けられている場合を例に挙げて説明する。
図１１は、本発明の第２実施形態の空気袋に空気を封入した状態の正面図である。
【００４５】
本発明に係る衣服（１２）は、空気袋（２）、収納部（３）、空気ポンプ（４）、空気送りパイプ（５）、バルブ（６）、及び保持部（７）から構成されている。この構成は実施形態１の衣服と同様に、請求項１の構成を有している。
つまり、空気袋（２）及び収納部（３）の大きさが異なるものの、空気袋（２）による効果を同様に発揮することができる。
図１１に示される衣服（１２）は、実施形態１に示した衣服（１）と実質状同一であり、同一部分には同一の符号を付して、重複する説明を省略している。
【００４６】
図１１に示すように、衣服（１２）の収納部（３）が着用者の顔の頬まで覆うので、衣服（１２）の襟と首の隙間（１３）を無くし遮閉でき、外部からの空気の流入を防ぎより保温性を保つことができる。
【００４７】
以上説明した実施形態は、本発明の一例に過ぎず、本発明の各構成要件を有する範囲において具体的構成などを適宜変更設計することができる。
【産業上の利用可能性】
【００４８】
本発明によれば、衣服の襟と首の隙間を無くし遮閉することで、外部からの空気の流入を防ぎ保温性を保つ衣服とすることができる。
【符号の説明】
【００４９】
１      衣服（実施形態１）
２      空気袋
２Ａ    空気袋の着脱部
２Ｂ    空気袋の押型
３      収納部
４      空気ポンプ
５      空気送りパイプ
６      バルブ
７      保持部
８      空気封入ユニット
９      挿通部
１０      スライドファスナー
１１      襟部
１２      衣服（実施形態２）
１３      隙間
【図１】
2020002503.tif 000003
【図２】
2020002503.tif 000004
【図３】
2020002503.tif 000005
【図４】
2020002503.tif 000006
【図５】
2020002503.tif 000007
【図６】
2020002503.tif 000008
【図７】
2020002503.tif 000009
【図８】
2020002503.tif 000010
【図９】
2020002503.tif 000011
【図１０】
2020002503.tif 000012
【図１１】
2020002503.tif 000013
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
空気封入可能な長方形の空気袋と、
衣服の内側に少なくとも首周りを覆う前記空気袋を収納かつ被覆する収納部と、
空気ポンプと、空気送りパイプと、バルブとを備えた衣服であって、
前記空気袋と前記空気ポンプが前記空気送りパイプを介して連通連結され、
前記空気ポンプ近傍に前記バルブを設けてなり、
前記空気ポンプ及び前記バルブは衣服の内側に設けられた保持部に着脱自在に保持され、
前記空気袋が前記収納部に着脱自在であり、
前記空気送りパイプを前記空気袋に着脱自在とする着脱部を備え、
前記収納部には前記空気送りパイプを挿通可能な挿通部が設けられており、前記挿通部から前記空気送りパイプを通して前記空気袋に連通連結させる構成であり、
前記収納部である襟部の上下方向の中間部に首周り方向に延びる開閉自在の開口部が設けてあることを特徴とする衣服。
【請求項２】
前記収納部が首周りに設けられた円筒状の襟部で構成されていることを特徴とする請求項１に記載の衣服。
【請求項３】
前記収納部が着用者の顔の頬を覆う程度に設けられることを特徴とする請求項１又は請求項２に記載の衣服。
【請求項４】
前記空気ポンプが手動であることを特徴とする請求項１乃至請求項３のいずれか一項に記載の衣服。
【請求項５】
前記空気ポンプが電池駆動のポンプであることを特徴とする請求項１乃至請求項３のいずれか一項に記載の衣服。
【請求項６】
前記空気袋に押型を設けることを特徴とする請求項１乃至請求項５のいずれか一項に記載の衣服。